(57)【要約】【課題】２台のプリンタを用いることなく、異なる２つの印刷対象物に単一の内容の印刷をすることができるとともに、印刷するデータの入力などの印刷を行なうための操作を簡単に行なえるプリンタ装置を提供する。【解決手段】筐体２内に第１のプリンタ部３と第２のプリンタ部４とを備え、その両プリンタ部３，４に対して印刷すべき文字列を入力し、その入力した文字列の単一の印刷データで第１のプリンタ部３と第２のプリンタ部４を並行して動作させて異なる２つの印刷対象物に前記印刷データに基づく単一の内容の印刷をする。【選択図】      図４
2005178278.tif 000002
【特許請求の範囲】
【請求項１】
第１のプリンタ部と第２のプリンタ部とを備えたプリンタ装置であって、
単一の印刷データにより前記第１のプリンタ部と前記第２のプリンタ部の両方を動作させて前記単一の印刷データの印刷を行なう制御手段を備えることを特徴とするプリンタ装置。
【請求項２】
前記制御手段は、前記第１のプリンタ部と前記第２のプリンタ部の印刷動作を並行して行なわせることを特徴とする請求項１に記載のプリンタ装置。
【請求項３】
前記制御手段は、前記第１のプリンタ部と前記第２のプリンタ部の印刷動作を順に続けて行なわせることを特徴とする請求項１に記載のプリンタ装置。
【請求項４】
第１のプリンタ部と第２のプリンタ部とを備えたプリンタ装置であって、
前記第１のプリンタ部と前記第２のプリンタ部の印刷動作を並行して行なわせる制御手段を備えることを特徴とするプリンタ装置。
【請求項５】
第１のプリンタ部と第２のプリンタ部とを備えたプリンタ装置であって、
前記第１のプリンタ部と前記第２のプリンタ部の印刷動作を順に続けて行なわせる制御手段を備えることを特徴とするプリンタ装置。
【請求項６】
前記第１のプリンタ部と前記第２のプリンタ部は、異なる印刷対象物に印刷すべく構成されていることを特徴とする請求項１ないし５のいずれかに記載のプリンタ装置。
【請求項７】
前記第１のプリンタ部は、電子データを記録する記録媒体のレーベル面に印刷し、前記第２のプリンタ部は、前記記録媒体の収納ケースに貼り付けるラベルとして用いられる印刷媒体テープに印刷することを特徴とする請求項１ないし６のいずれかに記載のプリンタ装置。
【請求項８】
前記第１のプリンタ部と前記第２のプリンタ部とは印刷方式が異なることを特徴とする請求項１ないし７のいずれかに記載のプリンタ装置。
【請求項９】
予め定められた複数の入力項目のうちの少なくとも１つ以上の特定の入力項目の組合せに対応してその特定の入力項目の印刷書式を定める複数の印刷フォーマットデータを予め記憶する印刷フォーマット記憶手段と、
前記複数の入力項目の夫々にデータ入力が可能な入力手段と、
前記複数の印刷フォーマットデータの中から前記入力手段からデータ入力された特定の入力項目に対応する印刷フォーマットデータを選択する印刷フォーマット選択手段とを備え、
前記制御手段は、前記第１のプリンタ部と前記第２のプリンタ部を制御して前記印刷フォーマット選択手段により選択された印刷フォーマットデータに従って前記入力手段から入力されたデータを印刷対象物に印刷するように構成されていることを特徴とする請求項１ないし８のいずれかに記載のプリンタ装置。
【請求項１０】
前記複数の入力項目は、データ入力が必須の少なくとも１つの必須入力項目と、データ入力が任意の少なくとも１つの任意入力項目とで構成されていることを特徴とする請求項９に記載のプリンタ装置。
【発明の詳細な説明】
【技術分野】
【０００１】
本発明は、装置本体の筐体内に第１のプリンタ部と第２のプリンタ部とを備えたプリンタ装置に関する。
【背景技術】
【０００２】
従来、印刷対象物としてのＣＤ−Ｒなどの光ディスクのレーベル面にタイトルなどの文字を印刷するディスク印刷用のプリンタ装置として特開２００３−７２１５５号公報のものがある。また、従来からテープに印刷を行ってラベルを作成する種々のテーププリンタ装置が提供されている。
【０００３】
ところで、光ディスクのレーベル面にタイトルなどの文字列を印刷するとともに、その光ディスクの収納ケースにも光ディスクのレーベル面に印刷したものと同じ文字列を印刷したラベルを貼り付けて管理したいことがある。
【０００４】
そのような場合には、ディスク印刷用のプリンタ装置を用いて光ディスクのレーベル面に光ディスクに記録される電子データの内容に関するタイトルなどの文字列を印刷し、次にテーププリンタ装置を用いて光ディスクに印刷した文字列と同じ文字列をテープに印刷することでラベルを作成することになる。
【０００５】
すなわち、まずディスク印刷用のプリンタ装置に印刷すべき文字列を入力するとともに、行数や文字サイズなどを含む印刷書式の細目を個別に設定したり、あるいは予め用意されている印刷フォーマットにより印刷書式を一括して設定し、印刷を指示することでその入力した文字列を光ディスクに印刷する。そして、テーププリンタ装置でも光ディスクに印刷したものと同一の文字列を入力し、ディスク印刷の場合と同様な書式を設定して印刷を指示することでその文字列をテープに印刷することになる。
【０００６】
なお、従来のプリンタ装置では、所望の書式で印刷物を作成するために、予め用意されている印刷書式を定める複数の印刷フォーマットから１つの印刷フォーマットを選択し、その選択した印刷フォーマットに対応してユーザーが所定の入力項目を入力することにより印刷物を簡単に作成できるようにしている。
【特許文献１】特開２００３−７２１５５号公報
【発明の開示】
【発明が解決しようとする課題】
【０００７】
しかしながら、上述のように、光ディスクのレーベル面に直に印刷する一方、収納ケースに貼り付けるラベルを印刷したい場合には、光ディスク印刷用のプリンタ装置とテーププリンタ装置の２台のプリンタ装置を用いて別々に印刷を行なう必要がある。
【０００８】
このため、前記の異なる２台のプリンタ装置を準備しなければならず、また２台の夫々のプリンタ装置に同じ内容の印刷すべきデータを入力し、夫々に印刷書式を設定しなければならず、データ入力のミスが生じたり、印刷のための準備や操作が面倒となる。そして、１台のプリンタにデータを入力してその印刷を行い、それが終わると他の１台のプリンタにまたデータ入力してその印刷を行うという手順をとることになるため、印刷のための作業及び印刷処理時間が長くなるという問題もある。
【０００９】
さらに、従来のプリンタ装置では、印刷フォーマットを用いて簡単に印刷対象物に印刷を行なうことができるようにしているが、ユーザーにとっては、複数の印刷フォーマットから印刷すべきデータに最も適応する１つの印刷フォーマットを選択することは必ずしも容易ではなかった。
【００１０】
本発明はこのような点に着目してなされたもので、２台のプリンタを準備することなく２つの印刷対象物に印刷をすることができるとともに、印刷するデータの入力などの印刷を行なうための操作を簡単に行なえるプリンタ装置を提供することを目的とする。
【００１１】
また、本発明は、２つの印刷対象物に対する印刷のためのユーザーの作業時間及び印刷処理時間を短縮することができるプリンタ装置を提供することを目的とする。
【００１２】
さらに、本発明は、印刷フォーマットの選択作業の煩わしさをなくして誰でも容易に印刷すべきデータに最も適応した印刷結果を得ることができるプリンタ装置を提供することを目的とする。
【課題を解決するための手段】
【００１３】
請求項１の発明は、第１のプリンタ部と第２のプリンタ部とを備えたプリンタ装置であって、その両プリンタ部に共通する単一の印刷データにより第１のプリンタ部と第２のプリンタ部の両方を動作させて前記単一の印刷データの印刷を行なう制御手段を備えることを特徴としている。
【００１４】
請求項２の発明は、前記制御手段が、前記第１のプリンタ部と前記第２のプリンタ部の印刷動作を並行して行なわせることを特徴としている。
【００１５】
請求項３の発明は、前記制御手段が、前記第１のプリンタ部と前記第２のプリンタ部の印刷動作を順に続けて行なわせることを特徴としている。
【００１６】
請求項４の発明は、第１のプリンタ部と第２のプリンタ部とを備えたプリンタ装置であって、前記第１のプリンタ部と前記第２のプリンタ部の印刷動作を並行して行なわせる制御手段を備えることを特徴としている。  請求項５の発明は、第１のプリンタ部と第２のプリンタ部とを備えたプリンタ装置であって、前記第１のプリンタ部と前記第２のプリンタ部の印刷動作を順に続けて行なわせる制御手段を備えることを特徴としている。
【００１７】
請求項６の発明は、前記第１のプリンタ部と前記第２のプリンタ部が、異なる印刷対象物に印刷すべく構成されていることを特徴としている。
【００１８】
請求項７の発明は、前記第１のプリンタ部が、電子データを記録する記録媒体のレーベル面に印刷し、前記第２のプリンタ部が、前記記録媒体の収納ケースに貼り付けるラベルとして用いられる印刷媒体テープに印刷することを特徴としている。
【００１９】
請求項８の発明は、前記第１のプリンタ部と前記第２のプリンタ部との印刷方式が異なることを特徴としている。
【００２０】
請求項９の発明は、予め定められた複数の入力項目のうちの少なくとも１つ以上の特定の入力項目の組合せに対応してその特定の入力項目の印刷書式を定める複数の印刷フォーマットデータを予め記憶する印刷フォーマット記憶手段と、前記複数の入力項目の夫々にデータ入力が可能な入力手段と、前記複数の印刷フォーマットデータの中から前記入力手段からデータ入力された特定の入力項目に対応する印刷フォーマットデータを選択する印刷フォーマット選択手段とを備え、前記制御手段が、前記第１のプリンタ部と前記第２のプリンタ部を制御して前記印刷フォーマット選択手段により選択された印刷フォーマットデータに従って前記入力手段から入力されたデータを印刷対象物に印刷するように構成されていることを特徴としている。なお、請求項８の発明は、前記第１のプリンタ部と前記第２のプリンタ部の２つのプリンタ機能を有するプリンタ装置に限らず、通常の１つのプリンタ機能を有するプリンタ装置に、前記印刷フォーマット記憶手段、前記入力手段及び前記印刷フォーマット選択手段を備えてなる印刷フォーマット選択機能を適用することもできる。
【００２１】
また、請求項１０の発明は、請求項９の発明において、前記複数の入力項目は、データ入力が必須の少なくとも１つの必須入力項目と、データ入力が任意の少なくとも１つの任意入力項目とで構成されていることを特徴としている。
【発明の効果】
【００２２】
請求項１の発明によれば、１台のプリンタ装置を用いて、単一の印刷データによりその装置が備える両プリンタ部で２つの印刷対象物に単一内容の文字列等を印刷することができる。このため２台のプリンタ装置を準備する必要がなく、また両プリンタ部の印刷に用いる印刷データは共通する単一のデータであることから、そのデータ入力は１回の入力で済ませることができ、このためデータの入力などの印刷を行なうための操作が簡単となり、ユーザーの作業時間を短くすることができる。また従来のように、２台のプリンタに対応してデータ入力する場合には相互で一致しないというミスが生じることがあるが、単一の印刷データを１回入力するだけでよいから、そのような入力ミスも防ぐことができる。
【００２３】
請求項２の発明によれば、単一の印刷データにより両プリンタ部が並行して動作するため、印刷処理に要する時間を短縮することができる。
【００２４】
請求項３の発明によれば、単一の印刷データにより両プリンタ部が順に続けて動作するため、印刷処理に要する時間を短縮することができる。
【００２５】
請求項４の発明によれば、１台のプリンタ装置を用いて、その両プリンタ部で２つの印刷対象物に文字列等を印刷することができ、このため２台のプリンタ装置を準備する必要がなく、また両プリンタ部が並行して動作するため、印刷処理に要する時間を短縮することができる。
【００２６】
請求項５の発明によれば、１台のプリンタ装置を用いて、その両プリンタ部で２つの印刷対象物に文字列等を印刷することができ、このため２台のプリンタ装置を準備する必要がなく、また両プリンタ部が順に続けて動作するため、印刷処理に要する時間を短縮することができる。
【００２７】
請求項６の発明によれば、両プリンタ部により異なる印刷対象物に印刷することができる。
【００２８】
請求項７の発明によれば、互いに関連する記録媒体とその収納ケースに貼り付けるためのラベルへの印刷を効率よく短時間に行なうことができる。
【００２９】
請求項８の発明によれば、第１のプリンタ部と第２のプリンタ部は互いに印刷方式が異なる場合にも適用することができる。
【００３０】
請求項９の発明によれば、予め定められた複数の入力項目に対してユーザーが特定の入力項目について入力を行なうと、その特定の入力項目に対応する印刷フォーマットが複数の印刷フォーマットの中から自動的に選択されるので、ユーザーによる面倒な印刷フォーマットの選択作業をなくして誰でも容易に印刷すべきデータに最も適応した印刷結果を得ることができる。
【００３１】
請求項１０の発明の発明によれば、前記複数の入力項目として、必須の入力項目を設けているため、データが入力されずに印刷を行なうミスを防ぎ、また、必須の入力項目に加えて任意の入力項目を設けているため、これらの入力項目の組合せにより異なる様々な態様の印刷結果を得ることができる。
【発明を実施するための最良の形態】
【００３２】
以下、図面を参照しながら本発明の実施形態について説明する。
【００３３】
（第１の実施形態）
図１は本発明の第１の実施形態に係る第１のプリンタ部と第２のプリンタ部を備えるプリンタ装置の全体の斜視図であり、図２はそのプリンタ装置の側面図である。
【００３４】
このプリンタ装置１は装置本体としての筐体２を備え、その筐体２の内部には光ディスクなどの記録媒体のレーベル面に印刷を行なう第１のプリンタ部３と、テープに印刷を行なう第２のプリンタ部４とが設けられている。
【００３５】
筐体２の正面側には、キー入力部１１と液晶表示部１２を備えるキーボード１０がヒンジ１３を介して筐体２の正面パネル２ａに起伏動可能に取り付けられている。また、筐体２の側面パネル２ｂには開口部５が設けられ、この開口部５から光ディスクを装着する第１のプリンタ部３のトレイ２１が筐体２外に移動可能に設けられている。さらに、筐体２の背面側２ｃには開閉可能なプリンタカバー６により覆われる第２のプリンタ部４が設けられている。
【００３６】
７は筐体２内に設けられる不図示の電池収納室を覆う電池カバーであり、電池収納室には、このプリンタ装置１の駆動電源となる電池が収納される。また、８は側面パネル２ｂ及び正面パネル２ａに設けられる第１のプリンタ部３の消耗品の交換用の開口部を覆うカバーであり、９は第１のプリンタ部３のトレイ２１をイジェクト操作するための操作ボタンである。
【００３７】
前記キー入力部１１には、文字や記号等を入力する文字入力キー、液晶表示部１２に表示されるカーソルを移動させるカーソルキー、各種入力データや選択データの確定、特定機能の開始の指示等を行なうときに操作する特定機能キー、装置の電源をオン・オフするための電源キー等、およびその他の動作に必要な制御キーが備えられている。
【００３８】
図３はプリンタ装置１の筐体２内に設けられた第１のプリンタ部３の主要部の構成を示す正面構成図、図４は同じく側面構成図を示している。
【００３９】
筐体２の内部にはベース２０が設けられ、そのベース２０上には印刷対象物としての光ディスクＤを支持するトレイ２１が設けられる。また、筐体２の内部には、トレイ２１に支持された光ディスクＤのレ一ベル面に対して、当該光ディスクＤに記録された電子データに関するタイトル等の印刷を行なうプリンタ機構３５が設けられている。
【００４０】
トレイ２１は、矩形でプレート状のトレイ本体２２を備え、そのトレイ本体２２には、回転軸２３を中心に回転可能にして光ディスクＤを支持する回転台２４が設けられている。この回転台２４の表面には緩衝材シート２５が貼設され、その中央部には光ディスクＤの円孔の内縁に係合する複数の係合爪２６が設けられている。
【００４１】
トレイ２１は、筐体２内の上下の位置でベース２０に設けた一対の案内レール２７に沿って案内され、光ディスクＤに対して印刷を行なう筐体２内の所定の収納位置と、光ディスクＤの着脱が可能な筐体２外の排出位置との間を移動可能に設けられている。
【００４２】
トレイ本体２２の下側の側縁にはラック２８が設けられている。筐体２内にはラック２８と噛み合う駆動ギア２９およびギア列３０を介して駆動ギア２９を正逆回転させるトレイ移動モータ３１が設けられている。そして、筐体２の側面パネル２ｂに設けられたイジェクトボタン９の操作により、モータ３１が一方向に回転駆動されて、筐体２内に位置するトレイ２１が、筐体２の開口部５から筐体２外に排出される。また、操作ボタン９の操作によりモータ３１が逆方向に回転駆動されて、筐体２外に位置するトレイ２１が筐体２内の収納位置まで移動される。
【００４３】
トレイ２１に設けられた回転台２４は、トレイ本体２２の裏面側に設けられたトレイ回転モータ３２を駆動源とし、ギア列３３を介してモータ３２の駆動力が回転軸２３に伝達されて時計回りに回転駆動される。
【００４４】
なお、トレイ本体２２には、回転台２４の回転角度を検出してモータ３２の駆動を制御するためのスイッチからなる回転角度検出部３４が設けられている。この検出部３４は、回転台２４の外周縁の１８０°対向する２箇所にそれぞれ設けた不図示のスイッチ操作用の突部によって作動され、この検出部３４の作動によって回転台２４の回転位置を検出できるように構成されている。
【００４５】
筐体２内には、トレイ２１の回転台２４と対向して、熱転写プリンタからなるプリンタ機構３５が設けられている。
【００４６】
このプリンタ機構３５は、ブリッジ形状のプリンタフレーム３６を備える。このプリンタフレーム３６は、サーマルヘッド３７を搭載したキャリッジ３８を支持するとともに、キャリッジ３８を回転台２４に沿って垂直方向に往復走行させる走行路を形成している。プリンタフレーム３６には、キャリッジ３８を摺動自在に案内するガイドシャフト３９が設けられ、またキャリッジ３８の走行時にキャリッジ３８に設けられた不図示の駆動ギアと噛み合うラック４０が設けられている。このキャリッジ３８は、そこに搭載したキャリッジモータ４１でラック４０と噛み合う駆動ギアを駆動してガイドシャフト３９に沿って往復移動する自走方式となっている。
【００４７】
また、キャリッジ３８の前面側には熱転写印刷のためのインクリボンを収容したリボンカートリッジ４３が装着されている。
【００４８】
また、図示を省略しているが、キャリッジ３８には、モータ４１を駆動源としてカム機構などによってサーマルヘッド３７を印刷位置と非印刷位置とに移動させるヘッド移動機構、モータ４１を駆動源としてキャリッジ３８に設けられるリボン巻取軸４２を駆動してインクリボンを巻き取るリボン巻取機構が設けられている。
【００４９】
この第１のプリンタ部３では、モータ４１の正転駆動によりヘッド移動機構を作動してサーマルヘッド３７を回転台２４上の光ディスクＤのレーベル面に当接して押圧する印刷位置に移動させてその位置に保持するとともに、回転台２４を停止し光ディスクＤを静止した状態でキャリッジ３８を図３及び図４の下側の初期位置から上側に向けて移動させることにより印刷を行なう。この印刷中には、モータ４１の正転駆動によりリボン巻取軸４２が駆動されて熱転写に使用されたインクリボンの巻取りが行われる。
【００５０】
また、印刷が終了すると、モータ４１の逆転駆動によって、サーマルヘッド３７を光ディスクＤのレーベル面から開離した非印刷位置に移動させてその位置に保持するとともに、キャリッジ３８を図３及び図４の上側から下側の初期位置に向けて復帰移動させるものである。リボン巻取機構にはワンウエイクラッチ機構が設けられており、キャリッジ３８の復帰移動の際には、リボン巻取軸４２の駆動は行われない。
【００５１】
この第１のプリンタ部３では、１回の印刷動作によりサーマルヘッド３７の発熱素子列の幅（印刷可能幅）とそのサーマルヘッド３７の移動する距離（印刷可能長さ）に対応する矩形の印刷領域内に印刷が可能であり、ここでは、サーマルヘッド３７に１２８個の発熱素子が配列されており、その印刷可能幅は１６ｍｍであり、印刷可能長さは７４ｍｍである。また、この第１のプリンタ部３では、１回又は２回の印刷動作により光ディスクＤのレーベル面の１箇所又は２箇所の印刷領域に印刷を行なうことができる。レーベル面の２箇所に印刷を行なう場合には、１箇所目の印刷の終了後に、キャリッジ３８の初期位置への復帰後あるいは復帰の途中でトレイ回転モータ３２を駆動して回転台２４を１８０°回転させた後に、１回目の印刷動作と同様にしてキャリッジ３８を初期位置から印刷動作方向に移動させて２回目の印刷動作を行なうことで、２箇所目の印刷を行なう。
【００５２】
例えば、図１に示すように、光ディスクＤのレーベル面上のＡは第１の印刷領域を示し、Ｂは第２の印刷領域を示している。１箇所だけに印刷する場合にはＡの印刷領域に印刷を行い、２箇所に印刷を行なう場合にはＡとＢの印刷領域に順に印刷を行なう。光ディスクＤ上の「ＣＤ−Ｒ」の文字はプレ印刷部分Ｐを表している。このプレ印刷部分Ｐを有する光ディスクＤでは、そのプレ印刷部分Ｐがトレイ２１の回転台２４に装着するときの位置合わせの基準に使用される。
【００５３】
すなわち、図１に示すように、プレ印刷部分Ｐを下側にして光ディスクＤをトレイ２１の回転台２４に装着する。光ディスクＤを装着したトレイ２１が筐体２内に収納された後、印刷開始前に回転台２４は１８０°回転して光ディスクＤ上のＡの印刷領域をプリンタ機構３５に対応させ、この後、Ａの印刷領域に印刷を行なう。２箇所に印刷する場合には、さらに回転台２４を１８０°回転してＢの印刷領域にも印刷を行なうことになる。
【００５４】
図５はプリンタ装置１の背面側に設けられテープに印刷を行なう第２のプリンタ部４の構成を示す正面構成図である。
【００５５】
この第２のプリンタ部４は、筐体２の背面側２ｃに開閉可能に設けられたプリンタカバー６によって覆われるテープカートリッジ装填部５０を備え、そのテープカートリッジ装填部５０にテープ状の印刷媒体と被印刷媒体（インクリボン５２と熱転写用の印刷テープ５３）を収納したテープカートリッジ５１が装填される。なお、印刷テープ５３は、表面に印刷が行われ、裏面に接着剤を有する受像テープを剥離テープに貼着して構成されている。
【００５６】
このテープカートリッジ装填部５０には、インクリボン５２のインクを印刷テープ５３に熱転写して印刷を行なうサーマルヘッド５６、図示しない駆動機構により回転駆動されてインクリボン５２及び熱転写用印刷テープ５３を搬送するプラテンローラ５７、前記駆動機構によりプラテンローラ５７とともに回転駆動されて使用されたインクリボン５２を巻き取るリボン巻取軸５８などを備えるテーププリンタ機構５５が設けられている。前記サーマルヘッド５６は、１６ｍｍ幅で１２８個の発熱素子を備えており、この発熱素子列はテープカートリッジ装填部５０に装填される印刷テープ５３の幅方向に配置されている。
【００５７】
また、テープカートリッジ装填部５０には、テープカートリッジ５１のコーナ部を受ける受台６０、テープカートリッジ５１に係合して位置決めする位置合わせ突起６１が設けられ、受台６０にはテープカートリッジ装填部５０に装填されるテープカートリッジ５１の種類、すなわちテープの幅を複数のスイッチの組合せで検出するテープカートリッジ検出部６２が設けられている。テープカートリッジ５１にはそのコーナ部に収容するテープの幅に応じた形状のテープ幅識別部５１ａが形成されており、このテープ幅識別部５１ａによってテープカートリッジ検出部６２の複数のスイッチのオン・オフ動作する組合せでテープ幅の検出を可能にしている。
【００５８】
また、テープカートリッジ装填部５０から筐体２外に向けて搬送路６３が形成され、その搬送路６３の端部には、筐体２の側面部に位置して印刷後の印刷テープ５３が排出される排出口６４が設けられている。排出口６４の近傍には、固定刃６６と可動刃６７とを備え図示しない駆動機構により可動刃６７を固定刃６６に向けて移動させて印刷テープ５３を切断する全切断カッタ６５が設けられ、さらに可動刃６９とこれを受ける刃受け部７０で構成され、印刷テープ５３の剥離テープ部分を残して受像テープ部分を切断するハーフカッタ６８が設けられている。これらの全切断カッタ６５及びハーフカッタ６８の構成は本出願人の特許出願に係る特開２００１−２７７１８４号公報に示されている。ここでは、それと同じ構成のものを使用することができる。
【００５９】
なお、テーププリンタ機構５５のサーマルヘッド５６は、図示しない移動機構によりプリンタカバー６の開放時にプラテンローラ５７から開離し、プリンタカバー６を閉じるとともにプラテンローラ５７に圧接するように構成されている。
【００６０】
この第２のプリンタ部４に装填されるテープカートリッジ５１は、そのハウジング内に印刷テープ５３を巻装したテープスプール５３ａ、インクリボン５２を巻装したリボン供給スプール５２ａ及びインクリボン５２を巻き取るリボン巻取スプール５２ｂを内蔵している。このテープカートリッジ５１は、例えば、テープ幅が６ｍｍ、９ｍｍ、１２ｍｍ、１８ｍｍ、２４ｍｍなどの異なる複数種類が用意されている。
【００６１】
この第２のプリンタ部４では、印刷動作時にプラテンローラ５７が駆動されると、テープカートリッジ装填部５０に装填されたテープカートリッジ５１から印刷テープ５３及びインクリボン５２が重ねられた状態でサーマルヘッド５６とプラテンローラ５７の間に供給され、サーマルヘッド５６により熱転写印刷が行われた後に印刷テープ５３は搬送路６３を通って排出口６４から筐体２の外に排出される。また、同時にリボン巻取軸５８も駆動されて、印刷に使用されたインクリボン５２がリボン巻取スプール５２ｂに巻き取られる。印刷が終了すると、全切断カッタ６５、あるいはハーフカッタ６８及び全切断カッタ６５を作動させて印刷テープ５３を切断しラベルとして切り離す。
【００６２】
図６には本実施形態に係るプリンタ装置１の電気回路の構成を示してある。このプリンタ装置１は第１のプリンタ部３及び第２のプリンタ部４を制御する制御部（ＣＰＵ）８０を有し、この制御部８０には、ＲＯＭ８１およびＲＡＭ８２が備えられ、ＲＯＭ８１にはプリンタ装置１の各部の動作を制御するためのシステムプログラムなどのプログラムデータや印刷のために必要なデータが記憶され、ＲＡＭ８２には入力されたデータを記憶する入力データメモリや印刷パターンデータを記憶するための印刷データメモリなどが備えられている。また、印刷動作に必要なデータが一時的に記憶される。また、制御部８０には、キー入力部１１、表示部１２が接続され、表示及び印刷のための文字フォントを発生するフォントＲＯＭ８３が接続される。
【００６３】
第１のプリンタ部３に設けられたトレイ移動モータ３１及びトレイ回転モータ３２は、モータドライバ８４、８５を介して制御部８０に接続され、制御部８０の制御を受けて回転駆動されてトレイ２１を筐体２の内外に移動させ、回転台２４を回転させる。また、第１のプリンタ部３に設けられたキャリッジモータ４１は、モータドライバ８６を介して制御部８０に接続され、制御部８０の制御を受けて駆動されてキャリッジ３８を移動させ、またサーマルヘッド３７はヘッドドライバ８７を介して制御部８０に接続される。制御部８０には、トレイ２１の回転角度検出部３４からの検知信号が供給される。
【００６４】
第２のプリンタ部４には、テープ搬送モータ８８及びカッタモータ９０が設けられ、それぞれモータドライバ８９、９１を介して制御部８０に接続される。このテープ搬送モータ８８はプラテンローラ５７を回転して印刷テープ５３を搬送し、またカッタモータ９０は全切断カッタ６５及びハーフカッタ６８を作動して印刷テープ５３の全切断及びハーフカットを行なう。
【００６５】
第２のプリンタ部４に設けられたサーマルヘッド５６はヘッドドライバ９２を介して制御部８０に接続される。また、制御部８０には、テープカートリッジ検出部６２からの検知信号が供給される。
【００６６】
このプリンタ装置１は駆動電源として電池９３を備えている。図６において、９４は電源スイッチ、９５〜９８は電圧変換器であり、電圧変換器９５はＤＣ１２Ｖの電池電圧をＤＣ３．３Ｖに変換し、電圧変換器９６はその電池電圧をＤＣ２０．５Ｖに変換し、電圧変換器９８はその電池電圧をＤＣ５Ｖに変換する。電圧変換器９７は消耗に応じて電池電圧が低下するため常にＤＣ１２Ｖに維持して出力する。９９〜１０１は電池９３と電圧変換器９５〜９８の間に挿入され、制御部８０により制御されるスイッチング回路であり、第１のプリンタ部３が駆動されるときにはスイッチング回路９９、１０１がオンし、第２のプリンタ部４が駆動されるときにはスイッチング回路１００、１０１がオンし、第１のプリンタ部３及び第２のプリンタ部４が並行して駆動されるときにはスイッチング回路９９〜１０１がオンする。１０２は制御部８０により電池電圧を監視するための電圧検出器であり、電池９３の両端電圧を検出して制御部８０に電圧検出信号を出力する。
【００６７】
このプリンタ装置１では、制御部８０、ＲＯＭ８１、ＲＡＭ８２、ＲＯＭ８３、キー入力部１１及び表示部１２の各部に対して、その動作電圧として電圧変換器９５から出力されるＤＣ３．３Ｖの電圧が供給される。また、第１のプリンタ部３のサーマルヘッド３７、キャリッジモータ４１及びモータドライバ８６に対して、その動作電圧として電圧変換器９６から出力されるＤＣ２０．５Ｖの電圧が供給される。
【００６８】
第２のプリンタ部４のサーマルヘッド５６、テープ搬送モータ８８、モータドライバ８９、カッタモータ９０及びモータドライバ９１に対して、その動作電圧として電圧変換器９７から出力されるＤＣ１２Ｖの電圧が供給される。また、第１のプリンタ部３のヘッドドライバ８７及び第２のプリンタ部４のヘッドドライバ９２に対して電圧変換器９８からＤＣ５Ｖの電圧が供給される。
【００６９】
図７はサーマルヘッド５６の動作のタイミングチャートを示している。
【００７０】
このプリンタ装置１では、第１のプリンタ部３と第２のプリンタ部４とを個別に動作させることができる一方、単一の印刷データにより２つのプリンタ部を１回の印刷指令に基づいて並行して動作させたり、順に続けて動作させることができる。
【００７１】
図７は単一の印刷データにより第１のプリンタ部３と第２のプリンタ部４とを並行して動作させる場合を示している。図７に示す「ＤＡＴＡ１」、「ＬＡＴＣＨ１」及び「ＳＴＢ１」は、それぞれ制御部８０から第１のプリンタ部３に出力される印刷データ信号、ラッチ信号及びストローブ信号であり、「ＤＡＴＡ２」、「ＬＡＴＣＨ２」及び「ＳＴＢ２」は、それぞれ制御部８０から第２のプリンタ部４に出力される印刷データ信号、ラッチ信号及びストローブ信号である。
【００７２】
図示のように制御部８０から第１のプリンタ部３のヘッドドライバ８７と第２のプリンタ部４のヘッドドライバ９２に単一の印刷データの１ライン分ずつのデータ信号「ＤＡＴＡ１」、「ＤＡＴＡ２」を順に転送し、またラッチ信号「ＬＡＴＣＨ１」、「ＬＡＴＣＨ２」及びストローブ信号「ＳＴＢ１」、「ＳＴＢ２」をヘッドドライバ８７、９２に対して順に出力し、１ラインずつ印刷が行われる。ここでは、ストローブ信号「ＳＴＢ１」がハイレベルの間（通電時間Ｔａ）は、ストローブ信号「ＳＴＢ２」をローレベルの間（非通電時間Ｔｃ）に対応させ、またストローブ信号「ＳＴＢ１」がローレベルの間（非通電時間Ｔｂ）は、ストローブ信号「ＳＴＢ２」をハイレベルの間（通電時間Ｔｄ）に対応させることで、サーマルヘッド３７とサーマルヘッド５６による１ラインの印刷の通電を同時に行なわずに交互に行なうことで、1個の制御部８０により２台のプリンタ部を制御可能にするとともに、電源の負担を小さくしている。
【００７３】
図８は所定の印刷フォーマットに従って光ディスク及び印刷テープへの印刷が行われる場合の説明図であり、図９、図１０はＲＯＭ８１に記憶される印刷フォーマットデータの説明図である。また図１０はＲＯＭ８１に記憶される印刷フォーマットを設定するための判別テーブルの説明図である。
【００７４】
図８に示すように、このプリンタ装置１では、４種類の印刷フォーマット(１)〜(４)を有しており、それらの印刷フォーマットが６項目の入力項目に対応している。これらの入力項目は、「タイトル」、「コメント」、「ないよう１」、「ないよう１」、「ないよう２」、「ないよう３」、「ないよう４」であり、これらの入力項目に対応してユーザーはキー入力部１１から任意の文字列の入力を行なう。例えば、入力項目の「タイトル」には、光ディスクＤに記録する電子データを表すタイトルの文字列を入力することができる。また、入力項目の「コメント」には、何らかのコメントの文字列を入力することができる。また、入力項目の「ないよう１」〜「ないよう４」には、それぞれ光ディスクＤに記録する電子データの内容を表す文字列を入力することができる。  なお、これらの入力項目のうち、「タイトル」については必ず入力しなければならない必須入力項目であるが、それ以外の５項目は任意の入力項目であり、ユーザーが必要に応じて入力を行なうもので、必要としなければ入力を行なわなくともよい。
【００７５】
この４種類の印刷フォーマットは、第１のプリンタ部３による光ディスクＤへの印刷と第２のプリンタ部４によるテープ５３への印刷に共通に使用することができる。すなわち、単一の印刷フォーマットを４種類備えており、その各単一の印刷フォーマットを光ディスクＤへの印刷にもテープ５３への印刷にも共通に使用することができるものである。
【００７６】
図８のように、印刷フォーマット(１)は、光ディスクへＤの印刷においては、その上側の印刷領域Ａだけに入力項目の「タイトル」に対応して入力された文字列を１行で印刷するものであり、テープ５３への印刷においては、１枚の所定の長さのラベルＬ１に入力項目の「タイトル」に対応して入力された文字列を１行で印刷するものである。
【００７７】
また、印刷フォーマット(２)は、光ディスクＤへの印刷においては、前記印刷領域Ａに対して第１行目に入力項目の「タイトル」に関する入力文字列を印刷し、第２行目に入力項目の「コメント」に関する文字列を印刷するものであり、テープ５３への印刷においては、１枚のラベルＬ１に対して第１行目に入力項目の「タイトル」に関する入力文字列を印刷し、第２行目に入力項目の「コメント」に関する文字列を印刷するものである。
【００７８】
印刷フォーマット(３)は、光ディスクＤの記印刷領域Ａ又はラベルＬ１に対して入力項目の「タイトル」、「コメント」、「ないよう１」に関する入力文字列を３行にして印刷するものである。
【００７９】
また、印刷フォーマット(４)は、光ディスクＤへの印刷においては、その上側の印刷領域Ａに対して第１行目に入力項目の「タイトル」に関する入力文字列、第２行目に入力項目の「コメント」に関する入力文字列を印刷し、さらにその下側の印刷領域Ｂに対して「ないよう１」〜「ないよう４」に関する入力文字列を第１行目〜第４行目までの４行に印刷するものであり、テープ印刷の場合には、その印刷フォーマットにより２枚のラベルＬ１、Ｌ２に光ディスクＤの上側の印刷領域Ａと下側の印刷領域Ｂへの印刷と同様の印刷を行なうものである。なお、図８中の符号Ｐで示す「ＣＤ−Ｒ」の文字列は光ディスクのレーベル面に予め印刷されているプレ印刷文字である。
【００８０】
図９、図１０は図８で説明した各印刷フォーマットに対応する印刷フォーマットデータの説明図であり、図９に示すように、印刷フォーマットデータは、印刷位置のデータ、文字サイズ設定のデータ、文字間隔のデータ、文字方向のデータなどで構成されている。例えば、印刷フォーマット(１)については、印刷位置のデータとしては、１箇所目（光ディスクＤでは印刷領域Ａ、印刷テープ５３では1枚目のラベルＬ１）の第１行であり、文字サイズ設定のデータとしては、文字サイズ設定Ａである。
【００８１】
なお、印刷フォーマット(４)において、「ないよう２」〜「ないよう４」の入力項目が印刷される『２箇所目』とは、光ディスクＤの場合には印刷領域Ｂのことであり、印刷テープ５３の場合には２枚目のラベルＬ２である。
【００８２】
この文字サイズの設定については、図１０に説明するように、入力文字数に応じて文字サイズが自動的に決定されるものであり、設定Ａの場合には、入力文字数が１〜９では文字サイズが５×５（１×１が基本サイズで、そのサイズは縦横３ｍｍとしている）、入力文字数が１０〜１２では文字サイズが４×４、入力文字数が１３〜１６では文字サイズが３×３、入力文字数が１７〜２４では文字サイズが２×２、入力文字数が２５〜３７では文字サイズが１×１となっている。
【００８３】
このように、入力文字数の増加に応じて文字サイズを小さくして印刷領域内に印刷文字が収まるようにしている。また、文字間隔のデータは、設定される文字サイズでその入力文字数がその印刷領域に収まるような数値に設定するものであり、また、文字方向のデータは、この場合は横書きに設定される。
【００８４】
さらに、第１のプリンタ部３では、光ディスクＤのプレ印刷部分Ｐを基準にして印刷領域Ａ及び印刷領域Ｂの位置を設定し、プレ印刷部分Ｐの文字の上下の向きに印刷領域Ａ及び印刷領域Ｂに印刷する文字の上下の向きを合わせるようにしているが、第１のプリンタ部３のプリンタ機構３５の構造上の理由から、印刷領域Ａに印刷する文字列については、文字列が正立状態から１８０°回転して文字列の左右上下を反転した文字列の文字が逆順の印刷パターンに展開してその後尾から順に印刷するようにしている。
【００８５】
一方、印刷領域Ｂに印刷する文字列はそのような回転処理を必要とせず、文字列をその文字順に正立状態に展開しその先頭から順に印刷することになる。したがって、印刷フォーマット(１)には文字列を回転するためのデータも含まれる。
【００８６】
同様にして、上述の図８で説明した各印刷フォーマットにより光ディスクＤ及び印刷テープ５３に印刷を行なうべく、印刷フォーマット(２)〜(４)についても、図９、図１０に図示するように、光ディスクＤ及び印刷テープ５３（ラベルＬ１、Ｌ２）における印刷位置、文字サイズ、文字間隔、文字方向、文字列の回転などの予め決められた各データがＲＯＭ８１に設定される印刷フォーマットデータ記憶領域に記憶されている。
【００８７】
このプリンタ装置１では、予め用意された複数の印刷フォーマット(１)〜(４)のうちの１つが入力項目の入力状況に応じて自動的に選択されて設定されるように構成されている。図１１に示す判別テーブルは、入力項目の入力状況に対応する１つの印刷フォーマットを前記４種類の印刷フォーマットの中から判別し、それを設定するためのものである。前述のように、入力項目には、必須入力項目の「タイトル」と、任意入力項目の「コメント」、「ないよう１」、「ないよう１」、「ないよう２」、「ないよう３」、「ないよう４」があり、それらの項目の組合せの入力状況に応じて印刷フォーマットデータが選択される。
【００８８】
例えば、必須入力項目の「タイトル」だけの入力の場合には、印刷フォーマット(１)が選択され、「タイトル」の入力に加えて「コメント」の入力があれば、印刷フォーマット(２)が選択され、「タイトル」の入力に加えて「ないよう１」、あるいは更にそれらに加えて「コメント」の入力があれば、印刷フォーマット(３)が選択され、「タイトル」の入力に加えて「ないよう２」、「ないよう３」及び「ないよう４」のいずれか１つ以上の入力、あるいは更にそれらに加えて「コメント」ないし「ないよう１」の入力があれば、印刷フォーマット(４)が選択されることになる。
【００８９】
次に、第１のプリンタ部３と第２のプリンタ部４を備えたプリンタ装置１による印刷動作を説明する。
【００９０】
図１２はプリンタ装置１の制御の流れを示すフローチャートである。
【００９１】
装置の電源を投入し、印刷すべきデータの入力編集を行なう。この場合、表示部１２の入力編集画面に表示される入力事項のガイドに従ってキー入力部１１より入力作業を行なう。まず、入力編集画面に入力項目として「タイトル」が表示され、その入力項目に関する文字列の入力が促される。その指示に従ってユーザーは「タイトル」に関する任意の文字列をキー入力部１１から入力する（ステップＳ１）。この入力項目は必ず入力しなければならない必須入力項目であり、表示画面にはその旨の注意表示がなされ、また入力を完了しないと、この処理作業を終了しない限り次の処理ステップに進めないようになっている。
【００９２】
入力項目の「タイトル」の入力があると、次に、「コメント」、「ないよう１」〜「ないよう４」の各入力項目の入力を促す入力編集画面が表示部１２に表示され、ユーザーはその指示に従って必要な項目の入力を行なう（ステップＳ２）。この５項目の入力事項はユーザーが必要とする場合に入力を行なう任意入力事項であって、必ずしも全５項目についての入力は必要とせず、全く入力しなくともよい。
【００９３】
なお、前記入力編集画面での入力可能文字数は限られており、必須入力項目については３７文字であり、各任意入力項目については４９文字とされている。入力文字数がオーバーした場合には、オーバーした文字数の入力を無効とするとともに、エラー報知を行い注意を促す周知の処理が行われる。
【００９４】
入力事項の入力作業が終了すると、これから印刷を行なおうとする印刷対象物の選択画面がその印刷対象物名を選択肢にして表示部１２に表示され、これをユーザーが選択する（ステップＳ３）。この選択画面では、第１のプリンタ部３と第２のプリンタ部４を並行して動作させて光ディスク及び印刷テープに印刷することを表す「ディスク及びテープ」、第１のプリンタ部３を動作させて光ディスクに印刷することを表す「ディスク」及び第２のプリンタ部４を動作させて印刷テープに印刷することを表す「テープ」の３種類の選択が可能になっている。まず、「ディスク及びテープ」は第１のプリンタ部３によるディスク肢のうちから１つを選択可能になっている。
【００９５】
前記選択画面には、印刷実行と印刷中止の確認項目が表示されており、印刷対象物の選択作業の後にユーザーがその確認項目のいずれかを選択指示したかを判断する（ステップＳ４）。
【００９６】
そこで印刷実行が指示されれば、ステップＳ５の処理に移行し（ステップＳ４のＹｅｓ）、また印刷中止が指示されれば、処理を終了する（ステップＳ４のＮｏ、エンド）。
【００９７】
ステップＳ４で印刷実行が指示された場合は、ステップＳ１で入力した必須入力事項及びステップＳ２で入力した任意入力事項の入力状況に応じて１つの印刷フォーマットが設定される（ステップＳ５）。
【００９８】
図１１に示す判別テーブルには入力事項の入力状況と印刷フォーマットとの関係を表すデータが保持されており、この判別テーブルに基づいて該当する印刷フォーマットが選択されてそれがＲＡＭ８２の所定の領域に設定される。
【００９９】
次に、ステップＳ１で入力した必須入力事項及びステップＳ２で入力した任意入力事項の文字列のデータがステップＳ５で設定された印刷フォーマットデータに基づいて印刷パターンデータ(印刷データ)に展開される（ステップＳ６）。
【０１００】
この印刷データの展開では、前述のように、光ディスクＤの印刷領域Ａ及びテープ印刷における１枚目のラベルについては、上下左右が反転した１８０°回転した文字列のパターンに展開される。光ディスクＤの印刷領域Ｂ及びテープ印刷における２枚目のラベルについては、そのような回転を行なうことなく文字列の文字順に正立した文字列のパターンに展開される。
【０１０１】
そして、先に選択された印刷対象物の種類が判断され（ステップＳ７）、その印刷対象物が「ディスク及びテープ」であれば、図７に示すタイミングチャートのようにサーマルヘッド３７、５６が制御部８０により制御されて第１のプリンタ部３及び第２のプリンタ部４が並行して動作しステップＳ６で作成された印刷パターンデータによって光ディスクＤと印刷テープ５３の夫々に印刷が行われる（ステップＳ８）。
【０１０２】
第１のプリンタ部３による印刷では、回転台２４を停止した状態で静止した光ディスクＤの印刷領域Ａに対してプリンタ機構３５を動作させて印刷を行い、印刷フォーマット(４)が設定されている場合には、印刷領域Ａへの印刷後に回転台２４を１８０°回転して停止し、静止した光ディスクＤの印刷領域Ｂに対してプリンタ機構３５を動作させて印刷を行なう。
【０１０３】
一方、並行して行われる第２のプリンタ部４による印刷では、第１のプリンタ部３の印刷に用いる単一の印刷データによりテーププリンタ機構５５を動作させて印刷テープ５３に印刷を行い、その印刷後に全切断カッタ６５を動作させて印刷部分を切断してラベルを作成する。
【０１０４】
２枚のラベルを作成する印刷フォーマット(４)の場合には、１枚目のラベルと２枚目のラベルの間でハーフカッタ６８を動作させて受像テープのみを切断するか、あるいは全切断カッタ６５を動作させて２枚のラベルに切り離す。
【０１０５】
また、ステップＳ７で選択された印刷対象物が「ディスク」であると判断されれば、第１のプリンタ部３のみが動作してステップＳ６で作成された印刷パターンデータが光ディスクＤに印刷される（ステップＳ９）。さらにステップＳ７で選択された印刷対象物が「テープ」であると判断されれば、第２のプリンタ部４のみが動作してステップＳ６で作成された印刷パターンデータが印刷テープ５３に印刷される（ステップＳ１０）。
【０１０６】
図１３は、ステップＳ８ないしＳ１０の処理による印刷例を示しており、図１３（ａ）は光ディスクへの印刷例であり、図１３（ｂ）は印刷テープにより作成するラベルの印刷例を示す。
【０１０７】
図１３は、「タイトル」として「看護月報」、「コメント」として「ＡＢＣ病院新生児室」、「ないよう１」として「２００３年１１月」、「ないよう２」として「２００３年１０月」、「ないよう３」として「２００３年９月」、「ないよう４」として「２００３年８月」の各データを入力し、その結果、印刷フォーマット(４)が設定された場合の印刷例である。
【０１０８】
ステップＳ３の印刷対象物の選択において、「ディスク及びテープ」を選択すれば、図１３（ａ）のように、プレ印刷部分Ｐを基準とする光ディスクＤの上側の印刷領域Ａ（１箇所目の印刷領域）には、第１のプリンタ部３の１回目の印刷動作により「タイトル」及び「コメント」の入力項目に対応するデータが印刷フォーマット(４)が定める書式に従って印刷され、光ディスクＤの下側の印刷領域Ｂ（２箇所目の印刷領域）には、第１のプリンタ部３の２回目の印刷動作により「ないよう１」ないし「ないよう４」の入力項目に対応するデータが印刷フォーマット(４)が定める書式に従って印刷される。
【０１０９】
そして、この第１のプリンタ部３の印刷動作に並行して第２のプリンタ部４が動作されて印刷テープ５３に「タイトル」及び「コメント」の入力項目に対応するデータが印刷フォーマット(４)が定める書式に従って印刷され、その印刷部分が全切断カッタ６５あるいはハーフカッタ６８により切断されて１枚目のラベルＬ１が作成され、さらに第２のプリンタ部４により「ないよう１」ないし「ないよう４」の入力項目に対応するデータが印刷フォーマット(４)が定める書式に従って印刷され、その印刷部分が全切断カッタ６５により切断されて２枚目のラベルＬ２が作成される。作成されたラベルＬ１、Ｌ２は剥離テープを剥がして裏面の接着剤により光ディスクの収納ケースＣに貼着する。
【０１１０】
なお、図１２のフローチャートでは、第１のプリンタ部３と第２のプリンタ部４とをほぼ同時に並行して動作させたが、印刷時間の一部が重なる程度に動作させるようにしてもよく、また、１回の印刷指示に応じて一方のプリンタ部を印刷動作させ、その印刷動作の終了に続いて他方のプリンタ部の印刷動作を行なうようにしてもよい。
【０１１１】
また、第１のプリンタ部３及び第２のプリンタ部４はいずれもインクリボンを用いる熱転写方式のプリンタ機構を備えて構成したが、一方のプリンタ機構をインクジェット方式とし、他方のプリンタ機構を熱転写方式としてもよい。
【０１１２】
なお、２つのプリンタ部での合計の印刷時間を短縮する観点から、必ずしも２つのプリンタ部で単一の印刷データを印刷する場合だけでなく、２つのプリンタ部に対応して異なるデータを入力し、それらの異なる入力データの印刷データをそれぞれＲＡＭ８２に作成し、それらの印刷データに基づいて２つのプリンタ部を並行して動作させ、あるいは２つのプリンタ部を順に続けて動作させることで夫々のプリンタ部の印刷対象物に印刷するようにしてもよい。
【０１１３】
（第２の実施形態）
図１４は第２の実施形態に係るプリンタ装置の構成を示す。
【０１１４】
このプリンタ装置１１１は、第１のプリンタ部１１２として、手動操作により筐体１１４を印刷対象物上に移動させることによりその印刷対象物に直接印刷を行なう、いわゆるハンディプリンタであり、第２のプリンタ部１１３が第１の実施形態と同様のテーププリンタである。
【０１１５】
図１４において、筐体１１４の底面部には印刷対象物に当接して回転する一対の車輪１１５が設けられ、筐体１１４内には、第１のプリンタ部１１２と第２のプリンタ部１１３とが設けられている。
【０１１６】
第１のプリンタ部１１２は、筐体１１４の底部に突出するサーマルヘッド１１６と、インクリボン巻取軸１１７と、車輪１１５の回転をインクリボン巻取軸１１７に伝達するギア列からなる伝達機構１１８と、その伝達機構１１８中に設けられて車輪１１５の回転に応じて筐体１１４が所定の距離を移動する毎にサーマルヘッド１１６を駆動するためのタイミングパルスを発生するエンコーダ１１９などを備えて構成される。
【０１１７】
１２０は第１のプリンタ部１１２に装着されるリボンカートリッジであり、インクリボン１２１を巻装したリボン供給リール１２２、インクリボン巻取軸１１７に嵌合しインクリボン１２１が巻き取られるリボン巻取リール１２３を備えている。
【０１１８】
また、第２のプリンタ部１１３は、サーマルヘッド１２４と、プラテンローラ１２５と、リボン巻取軸１２６とを備え、またテープ排出口１２７の近傍にカッタ１２８などを備えて構成されている。
【０１１９】
そして、第２のプリンタ部１１３にはテープカートリッジ５１が装着される。このテープカートリッジ５１は第１の実施形態のものと同一であるため、説明は省略する。
【０１２０】
また、図示を省略しているが、筐体１１４の外側面には、印刷すべきデータを入力するためのキー入力部と、入力されたデータを表示したり各種の設定を行なうなどにより必要なデータを表示するための表示部が設けられている。筐体１１４内には図６に説明した制御部やＲＯＭ、ＲＡＭなどの記憶手段を含む電子回路も設けられる。
【０１２１】
このプリンタ装置１１１は、筐体１１４を光ディスクＤのレーベル面に載置し、手動操作により移動させて第１のプリンタ部１１２のサーマルヘッド１１６によりレーベル面に直接印刷を行なう。そして、この第１のプリンタ部１１２の印刷動作に並行してその印刷動作に用いた印刷データと同じ単一の印刷データにより第２のプリンタ部１１３を動作させて印刷テープ５３に印刷を行なう。
【０１２２】
これにより、光ディスクＤのレーベル面へのタイトル文字などの印刷と、収納ケースＣに貼りつけるラベルの作成とを同時に行なうことができる。
【図面の簡単な説明】
【０１２３】
【図１】本発明の第１の実施形態に係るプリンタ装置の全体の斜視図。
【図２】そのプリンタ装置の側面図。
【図３】そのプリンタ装置の第１のプリンタ部の主要部の構成を示す正面構成図。
【図４】そのプリンタ装置の第１のプリンタ部の主要部の構成を示す側面構成図。
【図５】そのプリンタ装置の第２のプリンタ部の主要部の構成を示す正面構成図。
【図６】そのプリンタ装置の電気回路の構成を示すブロック図。
【図７】そのプリンタ装置のサーマルヘッドの動作を示すタイミングチャート。
【図８】そのプリンタ装置の印刷フォーマットについての説明図。
【図９】ＲＯＭに記憶される印刷フォーマットデータの説明図。
【図１０】ＲＯＭに記憶される印刷フォーマットデータの説明図。
【図１１】ＲＯＭに記憶される印刷フォーマットを設定するための判別テーブルの説明図。
【図１２】前記プリンタ装置の制御の流れを示すフローチャート。
【図１３】前記プリンタ装置による印刷対象物の例を示す説明図。
【図１４】本発明の第２の実施形態に係るプリンタ装置の構成図。
【符号の説明】
【０１２４】
１…プリンタ装置
２…筐体
３…第１のプリンタ部
４…第２のプリンタ部
１０…キーボード
１１…キー入力部
１２…液晶表示部
２０…ベース
２１…トレイ
２３…回転軸
２４…回転台
２５…緩衝材シート
２７…案内レール
３１…トレイ移動モータ
３２…トレイ回転モータ
３４…回転角度検出部
３４…検出部
３５…プリンタ機構
３７…サーマルヘッド
３８…キャリッジ
４１…キャリッジモータ
４２…リボン巻取軸
４３…リボンカートリッジ
５０…テープカートリッジ装填部
５１…テープカートリッジ
５２…インクリボン
５３…熱転写用印刷テープ
５５…テーププリンタ機構
５６…サーマルヘッド
５７…プラテンローラ
６５…全切断カッタ
６８…ハーフカッタ
８０…制御部
１１４…筐体
１１５…車輪
１１６…サーマルヘッド
１２８…カッタ
【図１】
2005178278.tif 000003
【図２】
2005178278.tif 000004
【図３】
2005178278.tif 000005
【図４】
2005178278.tif 000006
【図５】
2005178278.tif 000007
【図６】
2005178278.tif 000008
【図７】
2005178278.tif 000009
【図８】
2005178278.tif 000010
【図９】
2005178278.tif 000011
【図１０】
2005178278.tif 000012
【図１１】
2005178278.tif 000013
【図１２】
2005178278.tif 000014
【図１３】
2005178278.tif 000015
【図１４】
2005178278.tif 000016